(57)【特許請求の範囲】
【請求項１】
選択画面の要素選択に基づいて、使用地域に関する第１の情報と第２の情報とを設定する設定処理部を備え、
前記選択画面の選択肢には、
前記第１の情報用の第１の選択肢と前記第２の情報用の第２の選択肢とに共通する全ての要素と、
前記第１の選択肢と前記第２の選択肢とで共通しない要素のうち、使用地域を特定する選択肢が多い方の全ての要素と、
が含まれる、放送受信装置。
【請求項２】
前記選択画面の選択肢には、
前記第１の選択肢の全ての要素と、
前記第２の選択肢に有って前記第１の選択肢に無い要素であり、前記第１の選択肢に含まれるいずれかの要素が特定する使用地域の選択肢を多くする全ての要素と、が含まれる、請求項１に記載の放送受信装置。
【請求項３】
前記選択画面の選択肢には、
前記第２の選択肢に含まれる要素のうち、前記第１の選択肢に無い要素であって前記第１の選択肢に含まれる複数の要素を統合する使用地域を特定する全ての要素を、前記第１の選択肢に含まれる要素に変更した後の、前記第２の選択肢の全ての要素が含まれる、請求項１に記載の放送受信装置。
【請求項４】
前記設定処理部は、前記選択画面で選択された要素が前記第１の選択肢に無い要素である場合に、前記第１の選択肢に含まれる要素に変換処理して前記第１の情報を設定する、請求項１から３のいずれかに記載の放送受信装置。
【請求項５】
前記設定処理部は、前記選択画面で選択された要素が前記第２の選択肢に無い要素である場合に、前記第２の選択肢に含まれる要素に変換処理して前記第２の情報を設定する、請求項１から４のいずれかに記載の放送受信装置。
【請求項６】
前記第１の情報は地域コードであり、前記第２の情報は県域コードである、請求項１から５のいずれかに記載の放送受信装置。
【請求項７】
前記選択画面の選択肢の一部の要素は、特定の要素が選択された場合にのみ表示される、請求項１から６のいずれかに記載の放送受信装置。
【発明の詳細な説明】
【技術分野】
【０００１】
本発明はデジタル放送受信装置に関し、詳細には、装置の設置場所（ユーザの居住地域）に関する設定が簡便なデジタル放送受信装置に関する。
【背景技術】
【０００２】
地上デジタル放送受信装置の初期設定時には、地域設定（地域コードの設定）及び県域設定（県域コードの設定）が要求される。地域コードは、地上デジタル放送における放送地域を識別するためのコードで、この地域コードに基づいて受信可能な放送局のリモコン（リモートコントローラの略）キーへの割り当てや電子番組表（ＥＰＧ）の並び順の自動設定が行われる。また、県域コードは、データ放送において視聴者の居住地域に応じたサービス（例えば天気予報、選挙速報等）を提供するために用いられるコードである。
【０００３】
地域コード及び県域コードは、その設定値（選択肢）がＡＲＩＢ（Association of Radio Industries and Businesses）規格によって取り決められている。地域コードの設定値（選択肢）は、４６個の都府県と、「北海道（札幌）」と、「北海道（函館）」と、「北海道（旭川）」と、「北海道（帯広）」と、「北海道（釧路）」と、「北海道（北見）」と、「北海道（室蘭）」との合計５３種類からなる。また、県域コードの設定値（選択肢）は、４６個の都府県と、「西北海道」と、「東北海道」と、「東京都（島部）」と、「鹿児島県（島部）」との合計５０種類からなる。
【０００４】
上述のように、ＡＲＩＢ規格によって取り決められた地域コードと県域コードとの選択肢は、一対一に対応する関係ではない。このために、地域コード及び県域コードの設定は、別々に手動で行われるのが一般的である。
【０００５】
従来技術として、県域コードに基づいて地域符号を自動設定することが開示される（特許文献１参照）。ここでいう地域符号は、緊急警報放送において用いられるものであり、上述の地域コードとは異なる。この地域符号の設定値（選択肢）は都道府県の４７種類からなる。このために、上述した県域コードが設定されれば、特段の工夫を行うことなく、県域コードの設定に基づいて地域符号を自動設定することが可能である。
【０００６】
また、他の従来技術として、ユーザが居住者地域設定を行う前に受信可能な局のサーチを行い、居住者地域として可能性の高い地域を限定し、ワンタッチボタンの割り当てや番組表の並び順といった情報を含む選択肢を視聴者（ユーザ）に提示して選択させる技術が開示される（特許文献２）。この技術によれば、ユーザは適切な居住者設定を選択し易くなるが、設定時に判断すべき情報量が多くなり、単に、都道府県等を選択する構成に比べて、初期設定が複雑なものに感じられる可能性がある。
【先行技術文献】
【特許文献】
【０００７】
【特許文献１】特開２００３−２２４７８２号公報
【特許文献２】特開２００８−２７１３００号公報
【発明の概要】
【発明が解決しようとする課題】
【０００８】
地域コードと県域コードとを別々に手動入力する必要がある場合、ユーザが初期設定を面倒に感じる可能性がある。このために、いずれか一方を入力することによって他方が自動設定される構成（別の言い方をすれば、一度の入力処理で両者を纏めて設定できる構成）とすると、ユーザの入力負担が軽減されて、ユーザにとって使い勝手の良いデジタル放送受信装置を提供できるものと考えられる。
【０００９】
しかしながら、上述のように地域コードと県域コードとは選択肢の内容が全く同じではなく（一対一の対応関係にはなく）、一方が決定されても単純に他方を決定できない場合がある。このために、地域コードと県域コードとのいずれか一方を入力することによって他方が自動設定される構成（別の言い方をすれば、一度の入力処理で両者を纏めて設定できる構成）は実現されていなかった。
【００１０】
以上の点に鑑みて、本発明の目的は、装置の設置場所（ユーザの居住地域）に関する設定が簡便なデジタル放送受信装置を提供することである。
【課題を解決するための手段】
【００１１】
上記目的を達成するために本発明のデジタル放送受信装置は、装置の設置場所に関する情報として第１のコードと第２のコードとの設定が要求されるデジタル放送受信装置であって、前記第１のコード及び前記第２のコードを一括して設定するための選択肢を表示する選択画面を生成する画面生成部と、ユーザによる前記選択画面における選択肢の要素選択を受け付ける受付部と、前記受付部からの入力情報に基づいて前記第１のコード及び前記第２のコードを一括して設定処理するコード設定処理部と、を備え、前記選択画面で表示可能な選択肢は、前記第１のコードを設定するための選択肢として規定される第１の選択肢と、前記第２のコードを設定するための選択肢として規定される第２の選択肢と、のいずれとも一部において異なる構成（第１の構成）とされる。
【００１２】
本構成によれば、ユーザは、選択画面における選択肢の要素選択を完了することによって、デジタル放送受信装置における設置場所に関する２つのコード（第１のコードと第２のコード）設定を一括して行える。このために、２つのコード設定を別々に行う必要がなく、ユーザの入力負担を軽減できる。なお、本構成は、選択画面で表示可能な選択肢が、第１のコード用の第１の選択肢と、第２のコード用の第２の選択肢とのいずれとも異なるように形成される。すなわち、本構成は、選択画面で表示可能な選択肢について、既存の規格（例えばＡＲＩＢ規格）に拘泥されることなく、新しい選択肢を設ける構成を採用して、２つのコードの一括設定を可能にしている。
【００１３】
上記第１の構成のデジタル放送受信装置において、前記選択画面で表示可能な選択肢には、前記第１の選択肢と前記第２の選択肢とに共通する全ての要素と、前記第１の選択肢及び前記第２の選択肢のうちのいずれか一方にあって他方に無い要素から抽出され、前記第１の選択肢と前記第２の選択肢とを比較した場合に設置場所を特定する範囲を細分化する全ての要素と、が含まれる構成（第２の構成）とするのが好ましい。本構成により、２つのコードの一括設定を可能にしつつ、選択画面で表示可能な選択肢の構成要素を少なくできる。
【００１４】
上記第１又は第２の構成のデジタル放送受信装置において、前記選択画面で表示可能な選択肢には、前記第１の選択肢の全ての要素と、前記第２の選択肢に有って前記第１の選択肢に無い要素であり、前記第１の選択肢に含まれるいずれかの要素が特定する範囲を細分化する全ての要素と、が含まれる構成（第３の構成）であっても構わない。
【００１５】
上記第１又は第２の構成のデジタル放送受信装置において、前記選択画面で表示可能な選択肢には、前記第２の選択肢に含まれる要素のうち、前記第１の選択肢に無い要素であって前記第１の選択肢に含まれる複数の要素を統合する範囲を特定する全ての要素を、前記第１の選択肢に含まれる要素に基づいて細分化する変更を行った後の、前記第２の選択肢の全ての要素が含まれる構成（第４の構成）であっても構わない。
【００１６】
上記第１から第４のいずれかの構成のデジタル放送受信装置において、前記コード設定処理部は、選択画面で表示可能な選択肢によって選択された要素が前記第１の選択肢に無い要素である場合に、前記第１の選択肢に含まれる要素に変換処理して前記第１のコードを設定処理する構成（第５の構成）であるのが好ましい。
【００１７】
上記第１から第５のいずれかの構成のデジタル放送受信装置において、前記コード設定処理部は、選択画面で表示可能な選択肢によって選択された要素が前記第２の選択肢に無い要素である場合に、前記第２の選択肢に含まれる要素に変換処理して前記第２のコードを設定処理する構成（第６の構成）であるのが好ましい。
【００１８】
上記第１から第６のいずれかの構成のデジタル放送受信装置において、前記第１のコードは地域コードであり、前記第２のコードは県域コードである構成（第７の構成）であっても構わない。地域コード及び県域コードは、ＡＲＩＢ規格によって取り決められるものであって構わない。
【００１９】
上記第１から第７のいずれかの構成のデジタル放送受信装置において、前記選択画面に表示可能な選択肢の一部の要素は、特定の要素が選択された場合にのみ表示される構成であっても構わない。本構成によれば、選択画面を見易くする効果が期待できる。
【発明の効果】
【００２０】
本発明によれば、装置の設置場所（ユーザの居住地域）に関する設定が簡便なデジタル放送受信装置を提供することができる。特に、ＡＲＩＢ規格によって取り決められている、地域コードと県域コードとの設定が必要とされるデジタル放送受信装置に対して本発明は好適である。
【図面の簡単な説明】
【００２１】
【図１】本実施形態のデジタル放送受信装置の構成例を示すブロック図
【図２】本実施形態のデジタル放送受信装置において実行される、地域コードと県域コードとの設定処理の流れを示すフローチャート
【図３】本実施形態のデジタル放送受信装置において生成される、装置の設置場所に関する選択肢を表示する選択画面の構成例を示す模式図
【図４】本実施形態のデジタル放送受信装置において生成される、装置の設置場所に関する選択肢を表示する選択画面の別の構成例を示す模式図
【図５】本実施形態のデジタル放送受信装置において、県域コードを設定するために用いられる変換テーブルの一例を示す図
【図６】本実施形態のデジタル放送受信装置において生成される、装置の設置場所に関する選択肢を表示する選択画面の更に別の構成例を示す模式図
【発明を実施するための形態】
【００２２】
以下、本発明が適用された、地上波テレビ放送を受信するデジタル放送受信装置の実施形態について、図面を参照しながら説明する。なお、本発明のデジタル放送受信装置は、より詳細には、例えば、テレビジョン受像機、録画機（レコーダ）、セットトップボックス（ＳＴＢ）等として具現化され得る。
【００２３】
図１は、本実施形態のデジタル放送受信装置１の構成例を示すブロック図である。デジタル放送受信装置１は、アンテナ１１によって受信されるデジタル方式のテレビ放送信号がチューナ部１２に入力される構成になっている。また、デジタル放送受信装置１は、ユーザによる操作を受け付けられるように操作受付部１３を備える構成になっている。操作受付部１３は、制御部１９に電気的に接続されて制御部１９に信号を入力できるようになっている。
【００２４】
なお、操作受付部１３は、装置本体に設けられるボタンやタッチパネル等の入力手段であっても構わない。また、操作受付部１３は、リモコン（リモートコントローラの略）と、リモコンから出力される信号を受信するリモコン受信部とからなる構成であっても構わない。また、操作受付部１３は、装置本体に設けられるボタン等の入力手段と、リモコン及びリモコン受信装置と、の両方によって実現される構成でも構わない。操作受付部１３は、本発明の受付部の一例である。
【００２５】
チューナ部１２は、アンテナ１１を介して入力されたテレビ放送信号の中から、制御部１９からの指示（ユーザが操作受付部１３から入力した指示）に対応した受信チャンネルを選局する。そして、チューナ部１２は、選局されたチャンネルのテレビ放送信号を復調部１４へと出力する。復調部１４は、選局されたチャンネルのテレビ放送信号から映像信号と音声信号とを含む映像音声信号を復調する。復調された映像音声信号は、映像音声信号処理部１５に出力される。
【００２６】
映像音声信号処理部１５は、入力された映像音声信号を映像信号と音声信号とに分離する。映像信号は、ＯＳＤ（On-Screen Display）部１６に出力される。ＯＳＤ部１６は、制御部１９から与えられるデータに基づく画像信号を生成し、その信号を映像信号に重畳して表示部１７に出力する。表示部１７は、例えば液晶ディスプレイやプラズマディスプレイ等からなる。映像音声信号処理部１５で得られた音声信号は、音声出力部（スピーカ）１８から音声となって出力される。
【００２７】
なお、ＯＤＳ部１６は、ユーザがデジタル放送受信装置１を設置する場所に関する情報を設定する際に使用される選択画面を、制御部１９の指示にしたがって生成する。すなわち、ＯＳＤ部１６は、本発明の画面生成部の一例である。
【００２８】
制御部１９は、デジタル放送受信装置１が備える各部と電気的に接続されており、装置全体の制御を行う。制御部１９は、後述の内容から理解されるように、本発明のコード設定処理部の一例に該当する。メモリ２０は、制御部１９が実行する各種制御動作に必要なプログラム等を記憶する。メモリ２０には、ＲＯＭ（Read Only Memory）やＲＡＭ（Random Access Memory）が含まれる。
【００２９】
本実施形態のデジタル放送受信装置１の概略構成は以上のようであるが、次に、デジタル放送受信装置１の特徴的な構成について説明する。
【００３０】
デジタル放送受信装置１においては、例えば、その初期設定時や装置の設定位置を移動した時（例えば引越し後）等に、上述した地域コードと県域コード（それぞれ、本発明の第１のコード或いは第２のコードの一例に該当する）の設定を行うことが必要とされる。ただし、デジタル放送受信装置１においては、ユーザは地域コードと県域コードとを別々に入力設定する必要はなく、ユーザによる、装置１の設定場所（ユーザの居住地域）に関する情報入力が一度行われれば、地域コードと県域コードとの両方が自動的に設定される構成になっている。
【００３１】
図２は、本実施形態のデジタル放送受信装置１において実行される、地域コードと県域コードとの設定処理の流れを示すフローチャートである。制御部１９による、地域コードと県域コードとの設定処理は、例えばユーザの指令によって開始される。詳細には、ユーザが、表示部１７に表示されるメニュー画面（ＯＳＤ画面）において、装置１の設置場所に関する設定を行うことを指示する項目を選択することによって開始される（ステップＳ１）。この選択は、ユーザが操作受付部１３を操作することによって行われる。設置場所に関する設定を行うことを指示する項目の名称は、例えば、地域設定（地域コード設定）、県域設定（県域コード設定）、或いは、地域コード及び県域コードの設定等、その意味がわかる範囲で様々な名称の選択が可能である。
【００３２】
ユーザによって装置１の設置場所に関する設定を行うことが選択されると、ＯＳＤ部１６が、制御部１９の指示の下、装置１の設置場所に関する選択肢を表示する選択画面（本発明の選択画面に該当）を表示するための処理を行う（ステップＳ２）。デジタル放送受信装置１では、装置１の設置場所に関する選択肢を表示する選択画面において、図３に示すような選択肢が表示部１７に表示される構成となっている。なお、図３においては、便宜上、設置場所に関する選択肢の表示が一部省略されているが、設置場所に関する選択肢の詳細は、後述の図５に示される通りとなる。
【００３３】
図３及び図５を参照して、デジタル放送受信装置１では、設置場所の選択肢（選択画面の選択肢）を構成する要素として、４６都府県と、「北海道（札幌）」と、「北海道（函館）」と、「北海道（旭川）」と、「北海道（帯広）」と、「北海道（釧路）」と、「北海道（北見）」と、「北海道（室蘭）」と、「東京都（島部）」と、「鹿児島県（島部）」との５５種類の選択要素が含まれる構成になっている。
【００３４】
すなわち、選択画面で表示可能な選択肢には、ＡＲＩＢ規格によって取り決められている、地域コードの選択肢と県域コードの選択肢（いずれについても、「背景技術」の項で説明済み）とに共通する全ての選択要素（４６都府県）が含まれる。また、選択画面で表示可能な選択肢には、地域コードの選択肢及び県域コードの選択肢のうちのいずれか一方にあって他方に無い要素（要素群Ｘ；以下に示す）から抽出され、地域コードの選択肢と県域コードの選択肢とを比較した場合に設置場所を特定する範囲を細分化する全ての要素（要素群Ｙ；以下に示す）が含まれる。
【００３５】
要素群Ｘは、「北海道（札幌）」と、「北海道（函館）」と、「北海道（旭川）」と、「北海道（帯広）」と、「北海道（釧路）」と、「北海道（北見）」と、「北海道（室蘭）」と、「東京都（島部）」と、「鹿児島県（島部）」と、「西北海道」と、「東北海道」とからなる。要素群Ｙは、要素群Ｘのうち、「西北海道」と、「東北海道」とを除く残りの要素群からなる。また、地域コードは本発明の第１のコードの一例であり、県域コードは本発明の第２のコードの一例である。
【００３６】
なお、図３に示す選択画面の構成では、設置場所の選択肢として上述の５５種類の選択要素が最初から選択できるように表示される構成になっているが、この構成を例えば次のように代えてもよい。すなわち、例えば、図４に示すように、「東京都（島部）」（本発明の一部の要素に該当）は、ユーザが「東京都」（本発明の特定の要素に該当）を選択した時点で表示（選択）できるようにし、「鹿児島県（島部）」（本発明の一部の要素に該当）は、ユーザが「鹿児島県」（本発明の特定の要素に該当）を選択した時点で表示（選択）できるようにする構成としてもよい。これにより、選択肢の見易さを向上することが可能である。なお、この場合においては、選択画面に最初に表示される選択肢は、地域コードの選択肢（ＡＲＩＢ規格によって取り決められている選択肢）と同じになっている。
【００３７】
表示部１７に、上述の設置場所の選択画面が表示されると、制御部１９は、ユーザによる設置場所の選択（要素選択）が完了したか否かの確認を行う（ステップＳ３）。ユーザによる設置場所の選択は、操作受付部１３を介して行われる。ユーザによる設置場所の選択が完了すると（ステップＳ３でＹｅｓ）、制御部１９は、ユーザによって特定の場所が選択されたか否かを確認する（ステップＳ４）。ここで、特定の場所は、「東京都（島部）」と「鹿児島県（島部）」である。
【００３８】
制御部１９は、「東京都（島部）」又は「鹿児島県（島部）」が選択されたことを確認すると（ステップＳ４でＹｅｓ）、これらの場所が、地域コードの選択肢を構成する要素としてＡＲＩＢ規格に定められない要素であるために、これらをＡＲＩＢ規格に対応した場所（要素）に変換する。そして、制御部１９は、変換して得られた場所を、地域コードの設定対象（設定値）として決定する（ステップＳ５）。
【００３９】
具体的には、「東京都（島部）」が選択されている場合には地域コードの設定対象を「東京都」に決定し、「鹿児島県（島部）」が選択されている場合には、地域コードの設定対象を「鹿児島県」に決定する。この決定は、選択画面によって表示可能な特定の場所（要素）が、ＡＲＩＢ規格に対応した地域コードの選択肢の要素に包含されるものであるために可能になっている。なお、制御部１９は、地域コードの設定対象が決定されると、その設定対象に対応するコード番号を地域コードとして設定する。
【００４０】
一方、制御部１９は、ユーザによって特定の場所が選択されなかったことを確認すると（ステップＳ４でＮｏ）、ユーザによって選択された場所（要素）を地域コードの設定対象（設定値）として決定する（ステップＳ６）。これは、選択画面によって表示される選択肢のうち、「東京都（島部）」及び「鹿児島県（島部）」を除く選択要素は、ＡＲＩＢ規格に対応した地域コードの選択肢を構成する要素に一致することを利用するものである。制御部１９は、地域コードの設定対象が決定されると、その設定対象に対応するコード番号を地域コードとして設定する。
【００４１】
地域コードの設定処理が終了すると、ユーザによって選択された設置場所と、図５に示す変換テーブルにしたがって、制御部１９は県域コードとして選択される場所を決定する。そして、制御部１９は、決定された場所に対応するコード番号（地域コードとは、全く別物として準備されるコード番号）を県域コードとして設定する（ステップＳ７）。
【００４２】
選択画面によって表示される選択肢のうち、北海道に関する選択要素以外の要素は、ＡＲＩＢ規格に対応した県域コードの選択肢の構成に一致する。また、選択画面によって表示される北海道に関する選択要素は、県域コードの北海道に関する選択要素よりも、その範囲が細分化されたもの（すなわち、県域コードの北海道に関する選択要素に包含されるもの）となっている。このために、選択画面にしたがって選択した場所（要素）によって、ＡＲＩＢ規格に対応した県域コードの決定が可能である。
【００４３】
なお、選択画面によって、「北海道（札幌）」、「北海道（函館）」、「北海道（旭川）」、「北海道（室蘭）」が選択された場合には、県域コードの設定対象（設定値）は「西北海道」となる。また、選択画面によって、「北海道（帯広）」、「北海道（釧路）」、「北海道（北見）」が選択された場合には、県域コードの設定対象（設定値）は「東北海道」となる。選択画面によって北海道以外の場所が選択された場合には、その選択された場所が県域コードの設定対象（設定値）となる。
【００４４】
以上により、デジタル放送受信装置１における、地域コードと県域コードとの設定は完了する。上述のように、デジタル放送受信装置１では、ユーザは、装置１の設定場所（ユーザの居住地域）に関する情報入力を一度行えば、地域コードと県域コードとの両方を自動的に設定することができる。このために、本実施形態のデジタル放送受信装置１は、例えば初期設定時におけるユーザの負担を軽減でき、ユーザにとって使い勝手が良いものといえる。
【００４５】
ところで、上述した選択画面で表示可能な選択肢（図３又は図４）は、地域コードの選択肢に一部の要素を追加した構成であるとの発想で、次のように表現することもできる。すなわち、選択画面で表示可能な選択肢は、地域コードの選択肢における全ての選択要素と、県域コードの選択肢に有って地域コードの選択肢に無い要素（要素群Ｏ；以下に示す）であり、地域コードの選択肢に含まれるいずれかの要素が特定する範囲を細分化する全ての要素（要素群Ｐ；以下に示す）と、を含む。
【００４６】
要素群Ｏは、「東京都（島部）」と、「鹿児島県（島部）」と、「西北海道」と、「東北海道」とからなる。要素群Ｐは、「東京都（島部）」と、「鹿児島県（島部）」とからなる。
【００４７】
また、上述した選択画面で表示可能な選択肢（図３又は図４）は、県域コードの選択肢の一部を変更した構成であるとの発想で、次のように表現することもできる。すなわち、選択画面で表示可能な選択肢は、県域コードの選択肢に含まれる選択要素のうち、地域コードの選択肢に無い要素（要素群Ｑ；以下に示す）であって地域コードの選択肢に含まれる複数の要素を統合する範囲を特定する全ての要素（要素群Ｒ；以下に示す）を、地域コードの選択肢に含まれる要素（要素群Ｓ；以下に示す）に基づいて細分化する変更を行った後の、県域コードの選択肢における全ての要素を含む。
【００４８】
要素群Ｑは、「東京都（島部）」と、「鹿児島県（島部）」と、「西北海道」と、「東北海道」とからなる。要素群Ｒは、「西北海道」と、「東北海道」とからなる。要素群Ｓは、「北海道（札幌）」と、「北海道（函館）」と、「北海道（旭川）」と、「北海道（帯広）」と、「北海道（釧路）」と、「北海道（北見）」と、「北海道（室蘭）」とからなる。
【００４９】
以上に示した実施形態は本発明の例示であって、本発明は以上に示した実施形態の構成に限定されるものではない。
【００５０】
例えば、以上に示した実施形態では、地域コードが決定された後に県域コードが決定される構成としたが、県域コードが決定された後に地域コードが決定される構成であっても構わない。
【００５１】
また、以上に示した実施形態では、地域コードを設定処理するにあたって換算テーブルを用いない構成としたが、地域コードを設定処理するにあたっても、県域コードを設定処理する場合と同様の換算テーブルを用いても構わない。
【００５２】
また、デジタル放送受信装置１の設定場所を選択するための選択画面における選択肢の表示方法として、図３や図４の表示方法に代えて、図６のような表示方法としてもよい。すなわち、選択画面に最初に表示される選択肢が、県域コードの選択肢（ＡＲＩＢ規格によって取り決められている選択肢）と同じになる構成としてもよい。この場合には、ユーザが「西北海道」を選択した時点で、「北海道（札幌）」と、「北海道（函館）」と、「北海道（旭川）」と、「北海道（室蘭）」の表示（選択）が可能になる。また、ユーザが「東北海道」を選択した時点で、「北海道（帯広）」と、「北海道（釧路）」と、「北海道（北見）」の表示（選択）が可能になる。この場合も、選択肢の見易さを向上する効果が期待できる。
【産業上の利用可能性】
【００５３】
本発明は、例えば、テレビジョン受像機、録画機（レコーダ）、セットトップボックス等のデジタル放送受信装置に好適である。
【符号の説明】
【００５４】
１  デジタル放送受信装置
１３  操作受付部（受付部）
１６  ＯＳＤ部（画面生成部）
１９  制御部（コード設定処理部）
【図１】
0005899784.tif 000002
【図２】
0005899784.tif 000003
【図３】
0005899784.tif 000004
【図４】
0005899784.tif 000005
【図５】
0005899784.tif 000006
【図６】
0005899784.tif 000007